(57)【要約】 【課題】青色光が他の色光に混入してしまうことを簡素な構成で抑制し、色再現性を向上させる。【解決手段】光源装置１は、励起光を出射する励起光源１１と、励起光源１１から出射された励起光を反射する反射層と、励起光を蛍光光に変換する蛍光体層と、が周方向に並設された回転制御可能な第一回転板６０と、第一回転板６０の反射層で反射された励起光を透過する第一透過層と、蛍光体層で変換された蛍光光を透過させるとともに蛍光体層の表面で反射した励起光を反射する第二透過層とが周方向に並設された回転制御可能な第二回転板６５とを備えている。【選択図】図１
2015232628.tif 000002
【特許請求の範囲】
【請求項１】
励起光を出射する励起光源と、
前記励起光源から出射された前記励起光を反射する反射層と、前記励起光を蛍光光に変換する蛍光体層と、が周方向に並設された回転制御可能な第一回転板と、
前記第一回転板の前記反射層で反射された前記励起光を透過する第一透過層と、前記蛍光体層で変換された前記蛍光光を透過させるとともに前記蛍光体層の表面で反射した前記励起光を反射する第二透過層とが周方向に並設された回転制御可能な第二回転板とを備えることを特徴とする光源装置。
【請求項２】
請求項１記載の光源装置において、
赤色光を出射する赤色光源を備え、
前記第一回転板の一部に対して前記第二回転板が対向するように前記第一回転板及び前記第二回転板が配置され、
前記第一回転板の前記蛍光体層が配された部分は、前記赤色光源から出射された赤色光を変換することなく反射し、
前記第二回転板の前記第一透過層は前記第一回転板で反射された赤色光を透過することを特徴とする光源装置。
【請求項３】
請求項１又は２記載の光源装置において、
前記反射層は、透過する光を拡散しながら反射する拡散反射層であることを特徴とする光源装置。
【請求項４】
請求項１〜３のいずれか一項に記載の光源装置において、
前記第一回転板と前記第二回転板との互いに対向する面がなす角度が鋭角であることを特徴とする光源装置。
【請求項５】
請求項１〜４のいずれか一項に記載の光源装置において、
前記蛍光体層の表面の少なくとも一部は前記第一回転板の面に対して傾斜面となっており、前記蛍光体層の表面で反射した励起光が前記第二回転板に向かわないように形成されていることを特徴とする光源装置。
【請求項６】
請求項１〜５のいずれか一項に記載の光源装置において、
前記励起光源は青色レーザーダイオードであり、
前記蛍光体層は緑色蛍光体層であることを特徴とする光源装置。
【請求項７】
請求項１〜６のいずれか一項に記載の光源装置と、
表示素子と、
前記光源装置を透過した光を前記表示素子に導光する光源側光学系と、
前記表示素子から出射された画像をスクリーンに投影する投影光学系と、
を備えることを特徴とする投影装置。
【発明の詳細な説明】
【技術分野】
【０００１】
本発明は、光源装置及び投影装置に関する。
【背景技術】
【０００２】
投影装置としては、励起光源から発せられた青色の励起光を、蛍光体ホイールに備えられる蛍光体層によって青色以外（例えば赤色光、緑色光）の蛍光光に変換して投影に用いるものが知られている。また、蛍光体ホイールには反射層も設けられていて、この反射層によって反射した励起光は青色のまま投影に用いられる。
ここで、投影装置によっては、蛍光体ホイールと励起光源との間に１／４波長板が設けられ、さらに、１／４波長板と励起光源との間にダイクロイックミラーが設けられたものがある（例えば特許文献１参照）。
ダイクロイックミラーには、Ｐ偏光やＳ偏光に関わらず赤色光や緑色光を通過させ、なおかつＰ偏光の青色の励起光も通過させるのに対し、Ｓ偏光の青色の励起光は反射する特性を有したものがある。
具体的に、励起光源から発せられたＰ偏光の青色の励起光はダイクロイックミラーを通過し、蛍光体ホイールに到達する。蛍光体ホイールで変換された赤色光、緑色光は、１／４波長板を透過したのちにダイクロイックミラーを通過する。また、蛍光体ホイールの反射層で反射し、１／４波長板を通過した青色の励起光はＳ偏光となっているので、この励起光もダイクロイックミラーを通過する。
【先行技術文献】
【特許文献】
【０００３】
【特許文献１】特開２０１２−２１２１２９号公報
【発明の概要】
【発明が解決しようとする課題】
【０００４】
ところで、蛍光体層で変換されず当該蛍光体層の表面で反射する青色光も少なからず存在している。この青色光も１／４波長板を通過するためダイクロイックミラーを通過する。つまり、青色光が他の色光に混入してしまい、色再現性を低下させる一因となっていた。
これを防止すべく、各色光の光路を別にすることも考えられるが、装置全体の大型化や複雑化を招くことになり好ましくない。
そこで本発明の課題は、青色光が他の色光に混入してしまうことを簡素な構成で抑制し、色再現性を向上させることである。
【課題を解決するための手段】
【０００５】
以上の課題を解決するため、本発明の一の態様によれば、
励起光を出射する励起光源と、
前記励起光源から出射された前記励起光を反射する反射層と、前記励起光を蛍光光に変換する蛍光体層と、が周方向に並設された回転制御可能な第一回転板と、
前記第一回転板の前記反射層で反射された前記励起光を透過する第一透過層と、前記蛍光体層で変換された前記蛍光光を透過させるとともに前記蛍光体層の表面で反射した前記励起光を反射する第二透過層とが周方向に並設された回転制御可能な第二回転板とを備えていることを特徴とする光源装置が提供される。
【発明の効果】
【０００６】
本発明によれば、青色光が他の色光に混入してしまうことを簡素な構成で抑制することができ、色再現性を向上させることが可能となる。
【図面の簡単な説明】
【０００７】
【図１】本実施形態に係る投影装置の平面図である。
【図２】本実施形態に係る第一回転板の概略構成を示す正面図である。
【図３】本実施形態に係る第二回転板の概略構成を示す正面図である。
【図４】本実施形態に係る各色光の発行スペクトルを示すグラフである。
【図５】図２の第一回転板の変形例を示す正面図である。
【図６】本実施形態の蛍光体層の変形例を示す説明図である。
【発明を実施するための形態】
【０００８】
以下に、本発明を実施するための形態について、図面を用いて説明する。但し、以下に述べる実施形態には、本発明を実施するために技術的に好ましい種々の限定が付されているが、本発明の範囲を以下の実施形態及び図示例に限定するものではない。
【０００９】
図１は投影装置１００の平面図である。
投影装置１００は光源装置（時分割光発生装置、シーケンシャルカラー発生装置）１、光源側光学系２、表示素子３及び投影光学系４等を備える。
【００１０】
光源装置１は、出射光を互いに異なる複数色の光に時間で分割して、それら複数色の光を順次出射する。具体的には、光源装置１は赤色光、緑色光及び青色光を所定の順序で繰り返し出射するものである。光源装置１は、１周期あたり赤色光、緑色光及び青色光をそれぞれ少なくとも一回照射する。１周期は、表示素子３によって１フレームのカラー映像が生成される期間である。
【００１１】
光源側光学系２は、光源装置１から出射された赤色光、緑色光及び青色光を表示素子３に投射する。光源側光学系２はインテグレータ光学素子２ａ、レンズ２ｂ、光軸変換ミラー２ｃ、レンズ群２ｄ、照射ミラー２ｅ及びフィールドレンズ２ｆを有する（図１参照）。このうちフィールドレンズ２ｆは光源側光学系２と投影光学系４に兼用される。
【００１２】
インテグレータ光学素子２ａはライトトンネル又はライトロッドである。インテグレータ光学素子２ａは、光源装置１によって出射された赤色光、緑色光及び青色光を側面で複数回反射又は全反射させることで、赤色光、緑色光及び青色光の強度分布（光軸に垂直な面内における強度分布）を均一にする。レンズ２ｂは、インテグレータ光学素子２ａによって強度が均等分布化された赤色光、緑色光及び青色光を光軸変換ミラー２ｃに向けて投射するとともに、集光する。光軸変換ミラー２ｃは、レンズ２ｂによって投射された赤色光、緑色光及び青色光をレンズ群２ｄに向けて反射させる。レンズ群２ｄは、光軸変換ミラー２ｃによって反射された赤色光、緑色光及び青色光を照射ミラー２ｅに向けて投射するとともに、集光する。照射ミラー２ｅは、レンズ群２ｄによって投射された光を表示素子３に向けて反射させる。フィールドレンズ２ｆは、照射ミラー２ｅによって反射された光を表示素子３へ投射する。
【００１３】
表示素子３は空間光変調器であり、光源側光学系２によって照射された赤色光、緑色光及び青色光を各画素で変調することによって映像が生成される。表示素子３が１周期当たりに１フレームのカラー映像を生成し、１フレームのカラー映像が赤色映像、緑色映像及び青色映像に時間で分割される。つまり、表示素子３が１周期当たりに赤色映像、緑色映像及び青色映像をそれぞれ少なくとも一回生成し、１周期に形成された赤色映像、緑色映像及び青色映像を時間で合成したものが１フレームのカラー映像に相当する。
【００１４】
表示素子３の周期と光源装置１の周期とが等しい。表示素子３の周期は、１フレームのカラー映像が生成される周期に相当する。つまり、表示素子３の周期は、表示素子３によって赤色映像、緑色映像及び青色映像がそれぞれ少なくとも一回生成される周期に相当する。
光源装置１によって赤色光が出射される期間に同期して、表示素子３が赤色の映像を生成する。光源装置１によって緑色光が出射される期間に同期して、表示素子３が緑色の映像を生成する。光源装置１によって青色光が出射される期間に同期して、表示素子３が青色の映像を生成する。
【００１５】
表示素子３は、二次元アレイ状に配列された複数の可動マイクロミラー等を有するデジタル・マイクロミラー・デバイス（ＤＭＤ）である。表示素子３はドライバーによって駆動される。つまり、赤色光が表示素子３に照射されている時に、表示素子３の各可動マイクロミラーが制御（例えば、ＰＷＭ制御）されることで、赤色光が投影光学系４に向けて反射される時間比（デューティー比）が可動マイクロミラー毎に制御される。これにより、表示素子３によって赤色の映像が生成される。緑色光や青色光が表示素子３に照射されている際も、同様である。
【００１６】
なお、表示素子３が反射型の空間光変調器ではなく、透過型の空間光変調器（例えば、液晶シャッターアレイパネル：いわゆる液晶表示器）であってもよい。表示素子３が透過型の空間光変調器である場合、光源側光学系２の光学設計を変更し、光源側光学系２によって照射される赤色光、緑色光及び青色光の光軸が後述の投影光学系４の光軸に重なるようにして、投影光学系４と光源側光学系２との間に表示素子３を配置する。
【００１７】
投影光学系４は複数枚のレンズからなるレンズ列である。投影光学系４は表示素子３に対向するように設けられ、投影光学系４の光軸が前後に延びて表示素子３に交差する。投影光学系４は、表示素子３によって反射された光を前方に投射することによって、表示素子３によって生成された映像をスクリーンに投影する。この投影光学系４は可動レンズ群４ａ及び固定レンズ群４ｂ等を備える。投影光学系４は、可動レンズ群４ａの移動によって、焦点距離が変更可能であるとともに、フォーカシングが可能である。
【００１８】
以下、光源装置１について具体的に説明する。光源装置１は青色光発生装置１０、縮小光学系２０、赤色光源３１、第一回転板６０、第二回転板６５、光路合成光学系４０及び集光光学系５０等を備える。
【００１９】
青色光発生装置１０は、平行光である青色光（励起ビーム）を発する。青色光発生装置１０によって発せられた青色光は、互いに平行に進行する複数の青色光線の束である。青色光発生装置１０は複数の励起光源１１、複数のコリメーターレンズ１２及び複数の反射ミラー１３を有する。青色光発生装置１０によって発せられた青色光は、後述の蛍光体層を励起するものである。
【００２０】
励起光源１１は青色光線を発する半導体発光素子であり、より具体的には青色レーザーダイオードである。励起光源１１によって発せられる光の色は紫がかった青である。
【００２１】
これら励起光源１１が図１の紙面に対して垂直な面に沿って二次元アレイ状（格子状）に配列されている。複数のコリメーターレンズ１２が図１の紙面に対して垂直な面に沿って二次元アレイ状（格子状）に配列されている。コリメーターレンズ１２が励起光源１１にそれぞれ対向する。反射ミラー１３が励起光源１１によって発せられた青色光線の光軸に対して斜めになるように励起光源１１及びコリメーターレンズ１２に相対し、コリメーターレンズ１２によってコリメートされた青色光線の光軸が反射ミラー１３によって９０°変換される。これら反射ミラー１３は階段状に配列されている。コリメーターレンズ１２によってコリメートされた青色光線の光軸の間隔がこれら反射ミラー１３によって狭められ、これら反射ミラー１３によって反射された青色光線の束全体としての径は、反射ミラー１３によって反射される前のレーザー光の束全体としての径よりも細くなる。これら反射ミラー１３によって反射された青色光線は略平行に進行し、これら青色光線の束は平行光である。
【００２２】
青色光発生装置１０及び励起光源１１が点滅する。青色光発生装置１０及び励起光源１１の点滅は肉眼で識別できない程高速である。ここで、表示素子３によって緑色映像及び青色映像が生成される期間に同期して、青色光発生装置１０及び励起光源１１が点灯し、表示素子３によって赤色映像が生成される期間に同期して、青色光発生装置１０及び励起光源１１が消灯する。
【００２３】
縮小光学系２０は、レンズ２１，２２からなるレンズ群である。縮小光学系２０は、反射ミラー１３によって発せられた青色光線が反射される側に配置されている。また、縮小光学系２０は、縮小光学系２０の光軸が反射ミラー１３によって反射された青色光線の束の光軸と一致するように配置されている。縮小光学系２０は、青色光発生装置１０によって発せられた青色光の径を縮小する。つまり、縮小光学系２０は、複数の反射ミラー１３によって反射された青色光線の束を集光させて、これら青色光線の間隔を狭める。
【００２４】
赤色光源３１は半導体発光素子であり、より具体的には赤色発光ダイオードである。
赤色光源３１によって発せられた赤色光の光軸は、励起光源１１によって発せられた青色光線の光軸に対して平行である。赤色光源３１によって発せられた赤色光の光軸は、青色光発生装置１０によって発せられた青色光の光軸に対して直交する。
【００２５】
赤色光源３１は点滅する。赤色光源３１の点滅は肉眼で識別できない程高速である。ここで、赤色光源３１の点滅周期は青色光発生装置１０及び励起光源１１の点滅周期に等しく、赤色光源３１は青色光発生装置１０及び励起光源１１の点滅とは逆相的に点滅する。つまり、赤色光源３１が点滅する期間に同期して、青色光発生装置１０及び励起光源１１が消灯し、赤色光源３１が消灯する期間に同期して、青色光発生装置１０及び励起光源１１が点灯する。表示素子３によって赤色映像が生成される期間に同期して、赤色光源３１が点灯し、表示素子３によって青色映像及び緑色映像が生成される期間に同期して、赤色光源３１が消灯する。
【００２６】
第一回転板６０は、円板状に設けられ、第一回転板６０の中心がスピンドルモーター等のモータ６１の駆動軸に連結されている。第一回転板６０は、モーター６１の駆動軸からずれた位置において青色光発生装置１０によって発せられた青色光の光軸に対して４５度の角度となっている。
【００２７】
図２は第一回転板６０の平面図である。図２を見る方向と図１を見る方向は垂直である。図２に示すように、第一回転板６０は周方向に沿う２つのセグメント、第一セグメント６０ａと第二セグメント６０ｂとに分けられており、第一セグメント６０ａが蛍光領域であり、第二セグメント６０ｂが光拡散反射領域である。第一セグメント６０ａと第二セグメント６０ｂは同一円周上に設けられている。
【００２８】
第一回転板６０の第一セグメント６０ａは蛍光体層である。この蛍光体層は励起光源１１によって発せられた青色光によって励起され、蛍光光（緑色光）を発する緑色蛍光体層である。蛍光体層は第一回転板６０の表側の面に、第一回転板の周方向に延びるように円弧帯状に形成されている。蛍光体層と第一回転板６０の接合界面が鏡面仕上げされている。これにより、蛍光体層から発した蛍光の利用効率が向上している。さらに、蛍光体層では変換されない光（例えば赤色光）は、鏡面仕上げされた接合界面によって、そのままの色光で反射される。
また、第一回転板６０の第二セグメント６０ｂは拡散反射層である。この拡散反射層に照射された光は、拡散されながら反射されることになる。
【００２９】
青色光発生装置１０が点灯している時に第一セグメント６０ａが青色光の光軸を通過すると、蛍光体層から蛍光光（緑色光）が発する。なお、このとき、第一セグメント６０ａの表面で反射した青色光も緑色光に混入する。
また、青色光発生装置１０が点灯している時に第一セグメント６０ａが赤色光の光軸を通過すると、蛍光体層が配された部分の鏡面仕上げによって赤色光は変換されることなく反射する。
また、青色光発生装置１０が点灯している時に第二セグメント６０ｂが青色光の光軸を通過すると、青色光が拡散反射層によって拡散されながら反射する。
図２において、Ｒ領域は、赤色光が照射され赤色光を反射する領域であり、Ｇ領域は青色光が照射され、緑色光に変換して発する領域であり、Ｂ領域は青色光が照射され青色光を拡散しつつ反射する領域である。
【００３０】
第二回転板６５は、円板状に設けられ、第二回転板６５の中心がモーター６６の駆動軸に連結されている。第二回転板６５は、モーター６６の駆動軸からずれた位置において、第一回転板６０の一部に対して対向するように配置されている。具体的には、第一回転板６０で発せられた蛍光光（緑色光）及び第一回転板６０で反射した赤色光の光軸に対して、第二回転板６５が直交している。ここで、第一回転板６０と第二回転板６５との互いに対向する面がなす角度αが鋭角であることが、第一回転板６０からの赤色光及び緑色光を第二回転板６５に到達させるうえで好ましい。
【００３１】
図３は第二回転板６５の平面図である。図３を見る方向と図１を見る方向は垂直である。図３に示すように、第二回転板６５は周方向に沿う２つのセグメント、第一セグメント６５ａと第二セグメント６５ｂとに分けられており、第一セグメント６５ａが第一透過領域であり、第二セグメント６５ｂが第二透過領域である。第一セグメント６５ａと第二セグメント６５ｂは同一円周上に設けられている。
【００３２】
第二回転板６５は、全体が例えば光透過性樹脂などの光透過性を有する素材により形成されている。ここで、第一セグメント６５ａをなす部分では第二回転板６５自体が第一透過層をなす。第一透過層は、第一回転板６０の第一セグメント６０ａで反射された赤色光と、第一回転板６０の第二セグメント６０ｂで反射された青色光とを色を変更することなく透過する。
また、第二セグメント６５ｂは、第一回転板６０の第一セグメント６０ａで変換された緑色光を透過するとともに、当該第一セグメント６０ａの表面で反射した青色光を反射する第二透過層である。具体的には、第二回転板６５における第二セグメント６５ｂをなす部分の表面に、青色光のみを反射するフィルタが積層されている。
図４は、各色光の発行スペクトルを示すグラフである。
図４に示すように、例えば波長４８０ｎｍ以下の光を反射し、それよりも大きい波長の光を透過するフィルタを用いれば、第二セグメント６５ｂで青色光のみが反射され、赤色光及び緑色光が透過することになる。
【００３３】
図３において、Ｒ領域は赤色光を透過する領域であり、Ｇ領域は緑色光を透過する領域であり、Ｂ領域は青色光を透過する領域である。図２及び図３に示すように第一回転板６０のＲ領域と第二回転板６５のＲ領域とが対向し、第一回転板６０のＧ領域と第二回転板６５のＧ領域とが対向し、第一回転板６０のＢ領域と第二回転板６５のＢ領域とが対向するように、モーター６１，６６は、第一回転板６０及び第二回転板６５を同期して回転させる。
これにより、第一回転板６０のＲ領域によって反射された赤色光は、第二回転板６５のＲ領域を透過する。また、第一回転板６０のＢ領域によって反射された青色光は、第二回転板６５のＢ領域を透過する。そして、また、第一回転板６０のＧ領域によって発せられた緑色光は、第二回転板６５のＧ領域を透過する。この際、第二回転板６５のＧ領域、つまり第二セグメント６５ｂでは、緑色光に含まれる青色光を反射して除去する。
【００３４】
光路合成光学系４０は、赤色光、緑色光及び青色光を同一光路に合成するものである。光路合成光学系４０は光路合成部材４１、ミラー４２を有する。
光路合成部材４１は板状に設けられている。光路合成部材４１は、赤色光源３１によって発せられた赤色光と、青色光発生装置１０によって発せられた青色光とを同一光路に合成する。光路合成部材４１は、赤色光源３１によって発せられた赤色光の光軸と青色光発生装置１０によって発せられた青色光の光軸との交差部に配置されている。光路合成部材４１は、赤色光源３１によって発せられた赤色光の光軸に対して４５度で斜交するとともに、青色光発生装置１０によって発せられた青色光の光軸に対して４５度で斜交する。
【００３５】
光路合成部材４１は、ダイクロイックミラーである。光路合成部材４１は、所定帯域の光（赤色光）を反射し、その所定帯域外の光（青色光）を透過させる。具体的には、光路合成部材４１は、青色光発生装置１０によって発せられた青色光を第一回転板６０に向けて透過させる。また、光路合成部材４１は、赤色光源３１によって発せられた赤色光を第一回転板６０に向けて反射させる。これにより、青色光発生装置１０によって発せられた青色光と、赤色光源３１によって発せられた赤色光との光路が合成される。
【００３６】
ミラー４２は、光路合成部材４１の延在方向に対して直交するように設けられている。ミラー４２は、第一回転板６０及び第二回転板６５を通過し、同一光軸に合成された各色光（赤色光、緑色光、青色光）の光軸に交差されるように配置されている。具体的には、ミラー４２は、各色光の同一光軸に対して４５度で斜交する。
【００３７】
集光光学系５０は複数枚のレンズ５１〜５９からなる。
レンズ５１，５２が赤色光源３１と光路合成部材４１との間に配置されている。レンズ５１，５２はこれらの光軸が重なるように配置されている。
【００３８】
レンズ５５，５６が第一回転板６０と光路合成部材４１との間に配置されている。レンズ５７，５８が第二回転板６５とミラー４２との間に配置されている。レンズ５５，５６及び縮小光学系２０はこれらの光軸が重なるように配置されている。レンズ５５，５６の光軸と、レンズ５７，５８の光軸とが、第一回転板６０において互いに直交する。レンズ５４がミラー４２とインテグレータ光学素子２ａの間で同一光軸となるように配置されている。レンズ５４，５８の光軸がミラー４２において直交する。
【００３９】
次に、本実施形態の作用について説明する。
図１に示すように、青色光発生装置１０から照射された青色光Ｂ１は、光路合成部材４１、レンズ５５，５６を透過して第一回転板６０に到達する。第一回転板６０に到達した青色光のうち、第一回転板６０のＢ領域によって反射された青色光Ｂ１は、第二回転板６５のＢ領域を透過する。その後、青色光Ｂ１は、レンズ５７，５８を透過してからミラー４２によって反射されてレンズ５４を透過し、後段の光学系を通過して表示素子３に到達する。
【００４０】
また、第一回転板６０に到達した青色光のうち、第一回転板６０のＧ領域に到達した青色光Ｂ１は、蛍光体層によって緑色光Ｇ１に変換される。この緑色光Ｇ１は、第二回転板６５のＧ領域を透過する。なお、蛍光体層の表面で反射した青色光Ｂ２は変換されることなくそのままの色味で第二回転板６５のＧ領域に向かうが、この第二回転板６５のＧ領域、つまり第二セグメント６５ｂでは青色光Ｂ２は反射される。したがって、緑色光Ｇ１に含まれる青色光Ｂ２が除去される。
その後、緑色光Ｇ１は、レンズ５７，５８を透過してからミラー４２によって反射されてレンズ５４を透過し、後段の光学系を通過して表示素子３に到達する。
【００４１】
赤色光源３１から照射された赤色光Ｒ１は、光路合成部材４１で反射されてからレンズ５５，５６を透過して第一回転板６０に到達する。第一回転板６０に到達した赤色光は、第一回転板６０のＲ領域によって反射され、第二回転板６５のＲ領域を透過する。その後、赤色光Ｒ１は、レンズ５７，５８を透過してからミラー４２によって反射されてレンズ５４を透過し、後段の光学系を通過して表示素子３に到達する。
【００４２】
以上のように本実施形態によれば、第一回転板６０の第一セグメント６０ａ（蛍光体層）で変換された緑色光（蛍光光）を透過するとともに第一セグメント６０ａの表面で反射した青色光（励起光）を反射する第二セグメント６５ｂ（第二透過層）が第二回転板６５に設けられているので、緑色光に含まれる青色光を第二セグメント６５ｂで反射して除去することができ、色再現性を向上させることが可能となる。
また、第一回転板６０の一部に対して第二回転板６５が対向するように、第一回転板６０及び第二回転板６５を配置するだけという簡素な構成で青色光が他の色光に混入してしまうことを抑制することができる。
【００４３】
また、第一回転板６０の第一セグメント６０ａは、赤色光源３１から出射された赤色光を変換することなく反射し、第二回転板６５の第一セグメント６５ａ（第一透過層）は第一回転板６０で反射された赤色光を透過するので、赤色光においても他の色光と同一光路で案内することができる。したがって、赤色光だけ別の光路とした場合と比しても簡素な構成とすることができる。
【００４４】
また、第一回転板６０の第二セグメント６０ｂが拡散反射層であるので、第二セグメント６０ｂで反射される青色光を拡散させることができる。
【００４５】
また、励起光源１１が青色レーザーダイオードであり、蛍光体層が緑色蛍光体層であるので、励起光源１１から発せられた青色光を蛍光体層によって緑色蛍光体層に変換することができる。
【００４６】
なお、本発明を適用可能な実施形態は、上述した実施形態に限定されることなく、本発明の趣旨を逸脱しない範囲で適宜変更可能である。
例えば上記実施形態では、第一回転板６０のＲ領域が緑色蛍光体層である場合を例示して説明したが、図５に示すように第一回転板６０ＡのＲ領域を、赤色光を反射する第三セグメント６０ｃとしてもよい。また、第一回転板のＲ領域を赤色蛍光体層とすることも可能である。この場合、青色光発生装置１０からの青色光を赤色蛍光体層で赤色に変換することができるため、赤色光源３１を省略することができる。
【００４７】
また、図６（ａ）に示すように、第一回転板６０に対して緑色蛍光体層６３が均等に積層されている場合では、緑色蛍光体層６３の表面で反射する青色光Ｂ２はミラー４２に向かうことになる。ここで、図６（ｂ）に示すように、第一回転板６０に対して緑色蛍光体層６３ａを階段状に積層し、各段をなす側面６３１を光路合成部材４１に対向させる。このように、緑色蛍光体層６３ａの表面を、第一回転板６０の面と平行でない傾斜面（凹凸面）等の側面６３１を階段状に多数形成することで、青色光Ｂ１の出射方向とほぼ垂直な面を多数設ける。これにより青色光Ｂ１は、緑色蛍光体層６３ａの側面６３１で反射し、第二回転板６５に向かわないことになる。
このように、緑色蛍光体層６３ａの表面（側面６３１）で反射した青色光が第二回転板６５に向かわないように緑色蛍光体層６３ａが形成されていると、緑色光に混入する青色光をより一層抑制することができ、色再現性の面で好適である。
【００４８】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００４９】
〔付記〕
＜請求項１＞
励起光を出射する励起光源と、
前記励起光源から出射された前記励起光を反射する反射層と、前記励起光を蛍光光に変換する蛍光体層と、が周方向に並設された回転制御可能な第一回転板と、
前記第一回転板の前記反射層で反射された前記励起光を透過する第一透過層と、前記蛍光体層で変換された前記蛍光光を透過させるとともに前記蛍光体層の表面で反射した前記励起光を反射する第二透過層とが周方向に並設された回転制御可能な第二回転板とを備えることを特徴とする光源装置。
＜請求項２＞
請求項１記載の光源装置において、
赤色光を出射する赤色光源を備え、
前記第一回転板の一部に対して前記第二回転板が対向するように前記第一回転板及び前記第二回転板が配置され、
前記第一回転板の前記蛍光体層が配された部分は、前記赤色光源から出射された赤色光を変換することなく反射し、
前記第二回転板の前記第一透過層は前記第一回転板で反射された赤色光を透過することを特徴とする光源装置。
＜請求項３＞
請求項１又は２記載の光源装置において、
前記反射層は、透過する光を拡散しながら反射する拡散反射層であることを特徴とする光源装置。
＜請求項４＞
請求項１〜３のいずれか一項に記載の光源装置において、
前記第一回転板と前記第二回転板との互いに対向する面がなす角度が鋭角であることを特徴とする光源装置。
＜請求項５＞
請求項１〜４のいずれか一項に記載の光源装置において、
前記蛍光体層の表面の少なくとも一部は前記第一回転板の面に対して傾斜面となっており、前記蛍光体層の表面で反射した励起光が前記第二回転板に向かわないように形成されていることを特徴とする光源装置。
＜請求項６＞
請求項１〜５のいずれか一項に記載の光源装置において、
前記励起光源は青色レーザーダイオードであり、
前記蛍光体層は緑色蛍光体層であることを特徴とする光源装置。
＜請求項７＞
請求項１〜６のいずれか一項に記載の光源装置と、
表示素子と、
前記光源装置を透過した光を前記表示素子に導光する光源側光学系と、
前記表示素子から出射された画像をスクリーンに投影する投影光学系と、
を備えることを特徴とする投影装置。
【符号の説明】
【００５０】
１      光源装置
２      光源側光学系
３      表示素子
４      投影光学系
１０      青色光発生装置
１１      励起光源
２０      縮小光学系
３１      赤色光源
４０      光路合成光学系
４１      光路合成部材
４２      ミラー
５０      集光光学系
６０      第一回転板
６０ａ    第一セグメント（蛍光体層）
６０ｂ    第二セグメント（拡散反射層）
６１      モーター
６５      第二回転板
６５ａ    第一セグメント（第一透過層）
６５ｂ    第二セグメント（第二透過層）
６６      モーター
１００      投影装置
【図１】
2015232628.tif 000003
【図２】
2015232628.tif 000004
【図３】
2015232628.tif 000005
【図４】
2015232628.tif 000006
【図５】
2015232628.tif 000007
【図６】
2015232628.tif 000008